(57)【要約】【課題】回路規模の増加が少なく、かつ、過電圧検出時における出力電圧のオーバーシュートを抑制することを目的とする。【解決手段】誤差増幅器１３に供給する電圧帰還信号Ｖｆｂもしくは電流帰還信号Ｉｆｂを第１のスイッチ回路１２により切り替えるのと同時に、誤差増幅器１３に接続された第１および第２の位相補償回路を第２のスイッチ回路１４により切り替えることを特徴とする。【効果】１つの誤差増幅器を用いて電流制御と電圧制御を行うための誤差信号を生成した場合でも、過電圧発生時の高速かつ安定動作が可能となる。また、ＬＥＤ負荷７が電流制御される状態と電圧制御される状態とを切り替えるための回路は、小さなロジック回路とスイッチで構成されるため、回路規模の増加を抑えることができる。【選択図】図１
2010187496.tif 000002
【特許請求の範囲】
【請求項１】
負荷電流に応じた電流帰還信号を生成する負荷電流検出回路と、
出力電圧に応じた電圧帰還信号を生成する出力電圧検出回路と、
該電流帰還信号もしくは該電圧帰還信号に基づいて誤差信号を生成する誤差増幅器と、
該誤差信号の位相補償を行う位相補償回路とを有する昇圧型スイッチング電源装置において、
該電流帰還信号もしくは該電圧帰還信号の内、いずれか一方を選択し、該誤差増幅器に供給する第１のスイッチ回路と、
該位相補償回路の接続構成を変化させるための第２のスイッチ回路と、
該負荷電流および該出力電圧に応じて、該第１のスイッチ回路および該第２のスイッチ回路の接続を同時に切り替えるスイッチ制御回路とを有し、
該スイッチ制御回路は、該出力電圧が所定電圧に満たないとき、もしくは、該負荷電流が所定電流より大きいとき、該電流帰還信号を該誤差増幅器に供給し、該負荷電流が所定電流以下となり、かつ、該出力電圧が該所定電圧に達したとき、該電圧帰還信号を該誤差増幅器に供給するように該第１のスイッチ回路の接続を切り替える
ことを特徴とする昇圧型スイッチング電源装置。
【請求項２】
前記位相補償回路が第１および第２の位相補償回路を具え、
前記第２のスイッチ回路は、該第１および第２の位相補償回路の内、いずれか一方を選択することを特徴とする請求項１に記載の昇圧型スイッチング電源装置。
【請求項３】
前記第１および第２の位相補償回路は、前記誤差増幅器の帰還部に前記第２のスイッチ回路を介して接続されていることを特徴とする請求項２に記載の昇圧型スイッチング電源装置。
【請求項４】
前記第１および第２の位相補償回路は、前記誤差増幅器の出力端子とＧＮＤ間に前記第２のスイッチ回路を介して接続されていることを特徴とする請求項２に記載の昇圧型スイッチング電源装置。
【請求項５】
前記第２のスイッチ回路は、前記誤差増幅器に前記位相補償回路を接続もしくは非接続することを特徴とする請求項１に記載の昇圧型スイッチング電源装置。
【請求項６】
前記位相補償回路は、前記誤差増幅器の帰還部に前記第２のスイッチ回路を介して接続されていることを特徴とする請求項５に記載の昇圧型スイッチング電源装置。
【請求項７】
前記位相補償回路は、前記誤差増幅器の出力端子とＧＮＤ間に前記第２のスイッチ回路を介して接続されていることを特徴とする請求項５に記載の昇圧型スイッチング電源装置。
【発明の詳細な説明】
【技術分野】
【０００１】
本発明はスイッチング電源方式のＬＥＤドライバにおける過電圧保護回路に関する。
【背景技術】
【０００２】
スイッチング電源方式のＬＥＤドライバの多くは、ＬＥＤ負荷に流れる電流を検出し、出力を制御する方式となっている。ＬＥＤ負荷がオープンとなる故障モードが発生した場合、ＬＥＤ負荷に電流が流れなくなるため、スイッチング電源はＬＥＤが消灯していると判断し出力電圧を上昇させようとする。このとき保護回路が無いと出力電圧が上昇し続け、やがてはスイッチングトランジスタやその他の回路素子の破壊を招く恐れがある。
【０００３】
このように出力電圧が上昇し続けるのを防ぐため、出力電圧が過電圧となったことを検出した場合、スイッチングトランジスタの動作を制御し、回路保護を行うものが特許文献１、２に示されている。
【０００４】
図８に従来のスイッチング電源装置の一例を示した。図８のスイッチング電源装置は、２つの誤差増幅器を用いて、負荷電流もしくは出力電圧が設定値を超えないようにスイッチングトランジスタの動作を制御することを特徴としている。
【０００５】
具体的に図８のスイッチング電源装置は、電力変換部１００と制御部２００から構成されている。電力変換部１００は、入力コンデンサ２、コイル３、スイッチングトランジスタ４、ダイオード５、出力コンデンサ６を有する。また、制御部２００は、負荷電流検出回路１０、出力電圧検出回路１１、誤差増幅器３０、位相補償回路１５、誤差増幅器３１、位相補償回路１６、ＰＷＭ変調回路３２を有する。ここで、１は外部に設けられた電力供給源としての直流電源、７はスイッチング電源装置から安定した電流もしくは電圧の供給を受けて動作するＬＥＤ負荷である。
【０００６】
電力変換部１００は、直流電源１より入力電圧Ｖｉの供給を受けて動作する。この電力変換部１００は以下のようにして制御部２００により駆動され、その動作により得られた安定した電流もしくは電圧がＬＥＤ負荷７に供給される。
【０００７】
制御部２００において、負荷電流検出回路１０は、負荷電流Ｉｏに応じた電流帰還信号Ｉｆｂを生成する。誤差増幅器３０は、電流帰還信号Ｉｆｂと基準電圧信号Ｖｒｅｆ１の差分を反転増幅する。誤差増幅器３０より得られた誤差信号Ｖｅ１は、位相補償回路１５により位相補償され、ＰＷＭ変調回路３２に供給される。
【０００８】
また、出力電圧検出回路１１は、出力電圧Ｖｏに応じた電圧帰還信号Ｖｆｂを生成する。誤差増幅器３１は、電圧帰還信号Ｖｆｂと基準電圧信号Ｖｒｅｆ２の差分を反転増幅する。誤差増幅器３１より得られた誤差信号Ｖｅ２は、位相補償回路１６により位相補償され、ＰＷＭ変調回路３２に供給される。
【０００９】
ＰＷＭ変調回路３２は、位相補償回路１５により位相補償された誤差信号と位相補償回路１６により位相補償された誤差信号の内いずれか一方を三角波信号(図示せず)と比較して、スイッチングトランジスタ４の駆動信号Ｖｐｗｍを生成する。そして、生成された駆動信号Ｖｐｗｍに基づいて、スイッチングトランジスタ４のオン・オフを切り替える。このように、電力変換部１００のスイッチングトランジスタ４は、制御部２００により制御される。
【００１０】
スイッチング電源装置が起動すると、出力電圧Ｖｏは徐々に上昇し、出力電圧ＶｏがＬＥＤ負荷７のしきい値を超えると、ＬＥＤ負荷７に負荷電流Ｉｏが流れ始める。その後、負荷電流Ｉｏは徐々に増加し、電流帰還信号Ｉｆｂが基準電圧信号Ｖｒｅｆ１と等しくなるように電流制御され、負荷電流Ｉｏは一定値になる。
【００１１】
ＬＥＤ負荷７にオープン不良などが発生し、負荷電流Ｉｏが流れなくなると、出力電圧Ｖｏはさらに上昇する。過電圧を検出すると、ＰＷＭ変調回路３２は、位相補償回路１６により位相補償された誤差信号に基づいて駆動信号Ｖｐｗｍを生成する。このとき、電圧帰還信号Ｖｆｂが基準電圧信号Ｖｒｅｆ２と等しくなるように電圧制御され、出力電圧Ｖｏは一定値になり、無制限に出力電圧Ｖｏが上昇するのを抑制する。
【００１２】
他の従来例として、電流帰還信号Ｉｆｂおよび電圧帰還信号Ｖｆｂを１つの誤差増幅器に供給する構成とした例を図９に示す。図８と同じ構成要素には同じ番号を付与する。
【００１３】
図９のスイッチング電源装置は、電力変換部１００と制御部２０１から構成されており、図８のスイッチング電源とは、制御部２０１の構成が異なる。制御部２０１は、負荷電流検出回路１０、出力電圧検出回路１１、誤差増幅器３３、位相補償回路１５、ＰＷＭ変調回路３４を有する。
【００１４】
誤差増幅器３３には、電流帰還信号Ｉｆｂと電圧帰還信号Ｖｆｂとを比較して、高い信号レベルを有する帰還信号が供給される。誤差増幅器３３はいずれか一方の帰還信号と基準電圧信号Ｖｒｅｆ３の差分を反転増幅する。誤差増幅器３３より得られた誤差信号Ｖｅ３は、位相補償回路１５により位相補償され、ＰＷＭ変調回路３４に供給される。
【００１５】
ＰＷＭ変調回路３４は、位相補償回路１５により位相補償された誤差信号に基づいてスイッチングトランジスタ４の駆動信号Ｖｐｗｍを生成する。そして、生成された駆動信号Ｖｐｗｍに基づいて、スイッチングトランジスタ４のオン・オフを切り替える。
【００１６】
電流帰還信号Ｉｆｂが誤差増幅器３３に供給されるとき、負荷電流検出回路１０からの電流帰還信号Ｉｆｂによって、負荷電流Ｉｏが一定値になるように電流制御される。
【００１７】
ＬＥＤ負荷７にオープン不良が発生するなどして出力電圧Ｖｏが上昇すると、電圧帰還信号Ｖｆｂが誤差増幅器３３に供給され、出力電圧検出回路１１からの電圧帰還信号Ｖｆｂによって、出力電圧Ｖｏが一定値になるように電圧制御される。
【先行技術文献】
【特許文献】
【００１８】
【特許文献１】特開２００６−０８５９９３
【特許文献２】特開２００１−１９００６７
【発明の概要】
【発明が解決しようとする課題】
【００１９】
従来の図８のようなスイッチング電源装置では、２つの誤差増幅器により電流帰還信号Ｉｆｂおよび電圧帰還信号Ｖｆｂから誤差信号を生成している。そのために、回路規模の増大が問題となっている。
【００２０】
従来の図９のようなスイッチング電源装置では、１つの誤差増幅器により電流帰還信号Ｉｆｂおよび電圧帰還信号Ｖｆｂと基準信号Ｖｒｅｆ３とを比較している。この誤差増幅器２３には、通常、負荷電流制御に最適化された位相補償回路１５が接続される。そのため、過電圧検出時、言い換えると、ＬＥＤ負荷７が電圧制御される状態に切り替わるとき、応答に遅れが生じ、出力電圧Ｖｏのオーバーシュートが発生してしまう。
【００２１】
そこで本願発明は、回路規模の増加が少なく、かつ、過電圧検出時における出力電圧のオーバーシュートを抑制することを目的とする。
【課題を解決するための手段】
【００２２】
上記課題を解決するため本発明は、負荷電流に応じた電流帰還信号を生成する負荷電流検出回路と、出力電圧に応じた電圧帰還信号を生成する出力電圧検出回路と、該電流帰還信号もしくは該電圧帰還信号に基づいて誤差信号を生成する誤差増幅器と、該誤差信号の位相補償を行う位相補償回路とを有する昇圧型スイッチング電源装置において、該電流帰還信号もしくは該電圧帰還信号の内、いずれか一方を選択し、該誤差増幅器に供給する第１のスイッチ回路と、該位相補償回路の接続構成を変化させるための第２のスイッチ回路と、該負荷電流および該出力電圧に応じて、該第１のスイッチ回路および該第２のスイッチ回路の接続を同時に切り替えるスイッチ制御回路とを有し、該スイッチ制御回路は、該出力電圧が所定電圧に満たないとき、もしくは、該負荷電流が所定電流より大きいとき、該電流帰還信号を該誤差増幅器に供給し、該負荷電流が所定電流以下となり、かつ、該出力電圧が該所定電圧に達したとき、該電圧帰還信号を該誤差増幅器に供給するように該第１のスイッチ回路の接続を切り替えることを特徴とする。
【発明の効果】
【００２３】
本発明によれば、１つの誤差増幅器を用いて電流制御と電圧制御を行うための誤差信号を生成した場合でも、過電圧発生時の高速かつ安定動作が可能となる。また、電流制御と電圧制御を切り替えるための回路は、小さなロジック回路とスイッチで構成されるため、回路規模の増加を抑えることができる。
【図面の簡単な説明】
【００２４】
【図１】本発明の第１の実施例の昇圧型スイッチング電源装置
【図２】第１の実施例における第１および第２の位相補償回路の具体例
【図３】第１の実施例における第１および第２の位相補償回路の他の具体例
【図４】本発明の昇圧型スイッチング電源装置の動作波形
【図５】本発明の第２の実施例の昇圧型スイッチング電源装置
【図６】第２の実施例における位相補償回路の具体例
【図７】第２の実施例における位相補償回路の他の具体例
【図８】従来の昇圧型スイッチング電源装置。
【図９】従来の昇圧型スイッチング電源装置。
【発明を実施するための形態】
【００２５】
以下、本発明の実施の形態について説明する。
【実施例１】
【００２６】
図１に本発明の第１の実施例に係るスイッチング電源装置を示した。図１に示すスイッチング電源装置は、電力変換部１００と制御部１０１から構成されている。電力変換部１００は、入力コンデンサ２、コイル３、スイッチングトランジスタ４、ダイオード５、出力コンデンサ６を有する。また、制御部１０１は、負荷電流検出回路１０、出力電圧検出回路１１、第１のスイッチ回路１２、誤差増幅器１３、第２のスイッチ回路１４、第１の位相補償回路１５、第２の位相補償回路１６、ＰＷＭ変調回路１７、スイッチ制御回路１８を有する。
【００２７】
電力変換部１００には、直流電源１より入力電圧Ｖｉが供給される。電力変換部１００は制御部１０１により駆動制御され、ＬＥＤ負荷７に電力が供給される。
【００２８】
制御部１０１の内部において、負荷電流検出回路１０は、負荷電流Ｉｏに応じた電流帰還信号Ｉｆｂを生成する。出力電圧検出回路１１は、出力電圧Ｖｏに応じた電圧帰還信号Ｖｆｂを生成する。
【００２９】
電流帰還信号Ｉｆｂおよび電圧帰還信号Ｖｆｂは、第１のスイッチ回路１２を介して誤差増幅器１３に供給される。誤差増幅器１３は、電流帰還信号Ｉｆｂもしくは電圧帰還信号Ｖｆｂのいずれか一方の帰還信号と基準電圧信号Ｖｒｅｆの差分を反転増幅する。いずれの帰還信号を誤差増幅器１３に供給するかは、第１のスイッチ回路１２の接続を切り替えることで選択することができる。
【００３０】
誤差増幅器１３の出力端子には、第１の位相補償回路１５および第２の位相補償回路１６が第２のスイッチ回路１４を介して接続されている。誤差増幅器１３より得られる誤差信号Ｖｅは、第２のスイッチ回路１４により選択されるいずれか一方の位相補償回路によって位相補償され、ＰＷＭ変調回路１７に供給される。
【００３１】
ここで、第１の位相補償回路１５および第２の位相補償回路１６の具体例を図２示す。図２において、抵抗２０とコンデンサ２１が図１における第１の位相補償回路１５を構成し、抵抗２０とコンデンサ２２が第２の位相補償回路１６を構成している。
【００３２】
抵抗２０は誤差増幅器１３の出力端子と反転入力端子の間、すなわち帰還部に接続されている。コンデンサ２１およびコンデンサ２２は、第２のスイッチ回路１４を介して、それぞれ抵抗２０と並列に接続されている。第２のスイッチ回路１４は、コンデンサ２１およびコンデンサ２２の内、いずれか一方を選択する。
【００３３】
第２のスイッチ回路１４がコンデンサ２１を選択すると、抵抗２０とコンデンサ２１からなる第１の位相補償回路１５により誤差信号Ｖｅの位相補償が行われる。第２のスイッチ回路１４がコンデンサ２２を選択すると、抵抗２０とコンデンサ２２からなる第２の位相補償回路１６により誤差信号Ｖｅの位相補償が行われる。
【００３４】
このように、第２のスイッチ回路１４の接続を切り替えることで、誤差信号Ｖｅの位相補償を行う位相補償回路が切り替わる。すなわち、定数の異なる位相補償回路によって誤差信号Ｖｅの位相補償を選択的に行うことができる。
【００３５】
また、第１の位相補償回路１５および第２の位相補償回路１６の他の具体例を図３に示す。図２と同様に、抵抗２０とコンデンサ２１が図１における第１の位相補償回路１５を構成し、抵抗２０とコンデンサ２２が第２の位相補償回路１６を構成している。
【００３６】
抵抗２０の一方の端子は誤差増幅器１３の出力端子に接続されている。コンデンサ２１およびコンデンサ２２は、第２のスイッチ回路１４を介して、それぞれ抵抗２０の他方の端子とＧＮＤ間に並列に接続されている。第２のスイッチ回路１４の動作は、図２で説明したのと同様である。
【００３７】
図３に示したように、第１の位相補償回路１５および第２の位相補償回路１６は誤差増幅器１３の帰還部ではなく、誤差増幅器１３の出力端子とＧＮＤ間に前記第２のスイッチ回路１４を介して接続してもよい。
【００３８】
これら２つの具体例に示した構成以外でも、第２のスイッチ回路１４により、位相補償回路の抵抗値を変化させる、あるいは抵抗値と容量値の両方を変化させるような構成としてもよい。第２のスイッチ回路１４により、誤差信号Ｖｅの位相補償を行う位相補償回路の定数を変化させるのであれば、位相補償回路および第２のスイッチ回路１４の接続形態は制限されない。
【００３９】
このように、誤差信号Ｖｅはいずれかの位相補償回路によって位相補償され、ＰＷＭ変調回路１７に供給される。ＰＷＭ変調回路１７は、いずれかの位相補償回路によって位相補償された誤差信号と三角波信号(図示せず)とを比較して、スイッチングトランジスタ４の駆動信号Ｖｐｗｍを生成する。そして、生成された駆動信号Ｖｐｗｍに基づいて、スイッチングトランジスタ４のオン・オフを切り替える。
【００４０】
スイッチングトランジスタ４がオンとなる期間、直流電源１よりコイル３にエネルギーを蓄積される。入力コンデンサ２は、入力電圧Ｖｉのリプルやノイズを低減するものである。このサイクルにおいてＬＥＤ負荷７に流れる電流は、出力コンデンサ６から供給される。スイッチングトランジスタ４がオフになると、コイル３に蓄積されたエネルギーがダイオード５を通じてＬＥＤ負荷７と出力コンデンサ６に供給される。
【００４１】
スイッチ制御回路１８は、負荷電流Ｉｏおよび出力電圧Ｖｏに応じて、第１のスイッチ回路１２および第２のスイッチ回路１４の接続を切り替える信号を生成するものである。
【００４２】
例えば、スイッチ制御回路１８は、出力電圧Ｖｏが所定の電圧に満たないとき、もしくは、該負荷電流が所定の電流より大きいとき、電流帰還信号Ｉｆｂを誤差増幅器１３に供給するとともに第１の位相補償回路１５を選択するように、第１および第２のスイッチ回路の接続を切り替える。また、負荷電流Ｉｏが所定電流以下となり、かつ、出力電圧Ｖｏが所定の電圧に達したとき、電圧帰還信号Ｖｆｂを誤差増幅器１３に供給するとともに第２の位相補償回路１６を選択するように、第１および第２のスイッチ回路の接続を切り替える。
【００４３】
第１のスイッチ回路１２内のＳＷ１とＳＷ２は、相補的にオン・オフ動作するように、スイッチ制御回路１８により制御される。第２のスイッチ回路１４内のＳＷ３とＳＷ４も同様に相補的にオン・オフ動作する。また、ＳＷ１とＳＷ３は同時にオンまたはオフ、ＳＷ２とＳＷ４についても同時にオンまたはオフとなるように制御される。
【００４４】
ＳＷ１・ＳＷ３がオン、ＳＷ２・ＳＷ４がオフとなると、誤差増幅器１３には電流帰還信号Ｉｆｂが供給されるとともに、第１の位相補償回路１５が選択される。このとき、負荷電流検出回路１０からの電流帰還信号Ｉｆｂが基準電圧信号Ｖｒｅｆと等しくなるように電流制御され、負荷電流Ｉｏは一定値になる。
【００４５】
ＳＷ２・ＳＷ４がオン、ＳＷ１・ＳＷ３がオフとなると、誤差増幅器１３には電圧帰還信号Ｖｆｂが供給されるとともに、第２の位相補償回路１６が選択される。このとき、負荷電圧検出回路１１からの電圧帰還信号Ｖｆｂが基準電圧信号Ｖｒｅｆと等しくなるように電圧制御され、出力電圧Ｖｏは一定値になる。
【００４６】
このように、第１の位相補償回路１５はＬＥＤ負荷７が電流制御されるときに選択され、第２の位相補償回路１６はＬＥＤ負荷７が電圧制御されるときに選択される。各位相補償回路は、それぞれの制御動作に最適化された定数を有する。
【００４７】
ＬＥＤ負荷７の制御動作状態を切り替えるためのスイッチ回路１２、１４およびスイッチ制御回路１８は、小さなロジック回路とスイッチで構成できるため、回路規模の増加を抑えることできる。
【００４８】
次に、具体的な動作例について、図４の動作波形図を用いて説明する。なお、図４において、縦軸は電圧もしくは電流、横軸は時間を示している。
【００４９】
スイッチ制御回路１８は、負荷電流ＩｏがＬＥＤ点灯検出値Ｉｄｅｔ以下であり、かつ、出力電圧Ｖｏが過電圧検出電圧Ｖｄｅｔに達した場合にＳＷ２・ＳＷ４をオンに切り替える。それ以外の状態においては、ＳＷ１・ＳＷ３がオンとなるように構成されている。
【００５０】
時刻ｔ１において、スイッチング電源装置が起動すると出力電圧Ｖｏが上昇し始める。この起動時においては、負荷電流ＩｏはＬＥＤ点灯検出値Ｉｄｅｔに満たないが、出力電圧Ｖｏが過電圧検出電圧Ｖｄｅｔに満たないため、ＳＷ１・ＳＷ３がオン、ＳＷ２・ＳＷ４がオフとなり、ＬＥＤ負荷７は電流制御される。出力電圧ＶｏがＬＥＤ負荷７のしきい値を超えると、負荷電流Ｉｏが流れ始める。そして、電流帰還信号Ｉｆｂが基準電圧信号Ｖｒｅｆと等しくなるよう制御され、定常状態になると、ＬＥＤ負荷７には一定の電流（負荷制御電流Ｉｃ）が供給される。
【００５１】
定常状態になった後、時刻ｔ２においてＬＥＤ負荷７がオープンになったとする。すると、ＬＥＤ負荷７に電流が流れなくなるため、ＰＷＭ変調回路１７はさらに出力電圧Ｖｏを上昇させるようにスイッチングトランジスタ４を駆動してしまう。
【００５２】
出力電圧Ｖｏは時間経過と共に上昇し、時刻ｔ３において過電圧検出電圧Ｖｄｅｔに達する。すると、ＳＷ２・ＳＷ４がオン、ＳＷ１・ＳＷ３がオフとなり、ＬＥＤ負荷７は電圧制御される。そして、電圧帰還信号Ｖｆｂが基準電圧信号Ｖｒｅｆと等しくなるよう制御され、出力電圧Ｖｏは一定の電圧（過電圧保護制御電圧Ｖｃ）に制御される。このとき、誤差信号Ｖｅの位相補償を行う位相補償回路は、電圧制御に最適化された定数を持つ第２の位相補償回路１６に切り替わるため、過電圧発生時における、出力電圧Ｖｏのオーバーシュートを抑えることが可能となる。
【００５３】
このように、過電圧が発生したのを検出すると、誤差増幅器１３に供給される帰還信号は電流帰還信号Ｉｆｂから電圧帰還信号Ｖｆｂに切り替わり、ＬＥＤ負荷７は電圧制御される。このとき同時に、誤差増幅器１３の出力側に接続された位相補償回路を電圧制御に最適化されたされたものに切り替えている。これにより、１つの誤差増幅器を用いて電流制御と電圧制御を行うための誤差信号を生成した場合でも、過電圧発生時における出力電圧Ｖｏのオーバーシュートを抑制することができ、高速かつ安定動作が可能となる。スイッチ制御回路１８は小さなロジック回路で構成されるため、回路規模の増加も少ない。
【実施例２】
【００５４】
図５に本発明に係るスイッチング電源装置の第２の実施例を示す。基本的な構成は第１の実施例と同様であり、位相補償回路と第２のスイッチ回路１４の構成のみが異なるものである。第１の実施例と同様の構成には同一の符号を付して説明は省略する。
【００５５】
図５のスイッチング電源装置は、第１の実施例における第２のスイッチ回路１４内のＳＷ４および第２の位相補償回路１６を省略したものである。第２のスイッチ回路１４は、誤差信号Ｖｅの位相補償を行うための位相補償回路１５を選択もしくは非選択することを特徴としている。
【００５６】
ここで、第２の実施例における位相補償回路の具体例を図６示す。図６において、抵抗２０とコンデンサ２１が図５における位相補償回路１５を構成している。位相補償回路１５は、誤差増幅器１３の帰還部に第２のスイッチ回路１４を介して接続されている。
【００５７】
抵抗２０は誤差増幅器１３の帰還部に第２のスイッチ回路１４を介して接続されている。コンデンサ２１は抵抗２０と並列に接続されている。第２のスイッチ回路１４内のＳＷ３がオンとなると、誤差増幅器１３に位相補償回路１５が接続される。第２のスイッチ回路１４内のＳＷ３がオフとなると、誤差増幅器１３から位相補償回路１５が切り離されるよう構成されている。
【００５８】
また、第２の実施例における位相補償回路の他の具体例を図７に示す。図６と同様に、抵抗２０とコンデンサ２１が図５における位相補償回路１５を構成している。位相補償回路１５は、誤差増幅器１３の出力端子とＧＮＤ間に第２のスイッチ回路１４を介して接続されている。
【００５９】
抵抗２０の一方の端子は誤差増幅器１３の出力端子に接続されている。コンデンサ２１は、第２のスイッチ回路１４を介して、抵抗２０の他方の端子とＧＮＤ間に並列に接続されている。図６で説明したのと同様に、第２のスイッチ回路１４内のＳＷ３がオンとなると、誤差増幅器１３に位相補償回路１５が接続される。第２のスイッチ回路１４内のＳＷ３がオフとなると、誤差増幅器１３から位相補償回路１５が切り離されるよう構成されている。
【００６０】
第２の実施例において、誤差増幅器１３に電流帰還信号Ｉｆｂが供給され、ＬＥＤ負荷７が電流制御されるとき、第２のスイッチ回路１４内のＳＷ３はオンになる。誤差増幅器１３に電圧帰還信号Ｖｆｂが供給され、ＬＥＤ負荷７が電圧制御されるとき、第２のスイッチ回路１４内のＳＷ３はオフになり、誤差増幅器１３から位相補償回路１５が切り離される。
【００６１】
ＬＥＤ負荷７が電流制御されるときは、誤差増幅器１３に位相補償回路１５を接続し、誤差信号Ｖｅの位相補償を行うことで、制御部１０１の安定動作が可能となる。過電圧検出時、すなわちＬＥＤ負荷７が電圧制御されるときは、位相補償回路１５を非接続とすることにより制御部１０１を高速応答させ、出力電圧Ｖｏのオーバーシュートを抑制することができる。
【００６２】
第２のスイッチ回路１４により、誤差増幅器１３に位相補償回路１５を接続もしくは非接続するのを切り替えるのであれば、位相補償回路および第２のスイッチ回路１４の接続形態は制限されない。
【符号の説明】
【００６３】
１  直流電源
２  入力コンデンサ
３  コイル
４  スイッチングトランジスタ
５  ダイオード
６  出力コンデンサ
７  ＬＥＤ負荷
１０  負荷電流検出回路
１１  出力電圧検出回路
１２  第１のスイッチ回路
１３  誤差増幅器
１４  第２のスイッチ回路
１５  第１の位相補償回路
１６  第２の位相補償回路
１７  ＰＷＭ変調回路
１８  スイッチ制御回路
２０  位相補償抵抗
２１  位相補償コンデンサ
２２  位相補償コンデンサ
１００  電力変換部
１０１  制御部
【図１】
2010187496.tif 000003
【図２】
2010187496.tif 000004
【図３】
2010187496.tif 000005
【図４】
2010187496.tif 000006
【図５】
2010187496.tif 000007
【図６】
2010187496.tif 000008
【図７】
2010187496.tif 000009
【図８】
2010187496.tif 000010
【図９】
2010187496.tif 000011